(57)【要約】【課題】光源の冷却効率を向上できる光源装置及びプロジェクターを提供すること。【解決手段】光源装置４１は、光源と、当該光源を内部に収納するハウジング５と、を備え、ハウジング５は、当該ハウジング５の外面をそれぞれ構成し、かつ、互いに交差する第１面及び第２面（正面部５Ｃ及び右側面部５Ｅ）と、第１面及び第２面（正面部５Ｃ及び右側面部５Ｅ）に跨って形成され、光源を冷却する空気を内部に導入する導入口５１１と、を有する。【選択図】図７
2015108779.tif 000002
【特許請求の範囲】
【請求項１】
光源と、
前記光源を内部に収納するハウジングと、を備え、
前記ハウジングは、
当該ハウジングの外面をそれぞれ構成し、かつ、互いに交差する第１面及び第２面と、
前記第１面及び前記第２面に跨って形成され、前記光源を冷却する空気を内部に導入する導入口と、を有することを特徴とする光源装置。
【請求項２】
請求項１に記載の光源装置において、
前記第１面において前記導入口が形成された部位と、前記第２面において前記導入口が形成された部位との交差角は、鈍角であることを特徴とする光源装置。
【請求項３】
請求項１又は請求項２に記載の光源装置において、
前記ハウジングは、前記導入口に取り付けられ、前記導入口の端縁の形状に応じたメッシュを有することを特徴とする光源装置。
【請求項４】
請求項１から請求項３のいずれかに記載の光源装置において、
前記光源は、放電発光する発光部を有する光源ランプであり、
前記ハウジングは、
それぞれ異なる方向に分岐して、前記導入口から内部に導入された空気を流通させる複数の流路と、
前記複数の流路のうち、当該光源装置の姿勢に応じて前記発光部の上方に導く流路に空気を流通させる流路切替部材と、を有し、
前記流路切替部材は、前記導入口の内側に位置することを特徴とする光源装置。
【請求項５】
請求項１から請求項４のいずれかに記載の光源装置と、
前記光源装置から出射された光を変調する光変調装置と、
前記光変調装置により変調された光を投射する投射光学装置と、
前記導入口に空気を送風する冷却ファンと、を備えることを特徴とするプロジェクター。
【請求項６】
請求項５に記載のプロジェクターにおいて、
前記冷却ファンによる空気の送風方向は、前記導入口を向き、かつ、前記第１面及び前記第２面のそれぞれに傾斜していることを特徴とするプロジェクター。
【請求項７】
請求項５又は請求項６に記載のプロジェクターにおいて、
前記冷却ファンは、
ファン本体と、
前記ファン本体から送風された冷却空気を前記導入口に導くダクト部と、を有することを特徴とするプロジェクター。
【発明の詳細な説明】
【技術分野】
【０００１】
本発明は、光源装置及びプロジェクターに関する。
【背景技術】
【０００２】
従来、光源装置と、当該光源装置から出射された光を変調して画像情報に応じた画像を形成する光変調装置と、形成された画像を被投射面上に拡大投射する投射光学装置とを備えたプロジェクターが知られている。このようなプロジェクターとして、冷却風を送風して光源装置を冷却する冷却ファンを備えたプロジェクターが知られている（例えば、特許文献１参照）。
【０００３】
この特許文献１に記載のプロジェクターでは、光源装置は、発光管、リフレクター、平行化凹レンズ及び保持部を備える。これらのうち、保持部は、発光管の封止部に接着剤等により固着されたリフレクターの周囲を囲むように設けられ、平行化凹レンズを保持する。このような保持部において互いに対向する一対の側面のうち、一方の側面には吸気口が形成され、他方の側面には排気口が形成されている。また、保持部内には、発光管の上方側及び下方側にそれぞれ分岐し、プロジェクターが正置き姿勢（据置き姿勢）である場合に発光管の管球部に上方から冷却風を導く流路と、プロジェクターが逆置き姿勢（天吊り姿勢）である場合に当該管球部に上方から冷却風を導く流路とが形成されている。この他、保持部内には、プロジェクターの上下を反転させた際に、自重によって回動して下方に位置する流路を閉塞し、上記吸気口を介して内部に導入された空気を上方に位置する流路に導くシャッターが設けられている。
このような構成により、プロジェクターが正置き姿勢及び逆置き姿勢のいずれの姿勢であっても、保持部内に導入された冷却風を上記管球部に上方から送風することができる。
【先行技術文献】
【特許文献】
【０００４】
【特許文献１】特開２０１２−２７１７１号公報
【発明の概要】
【発明が解決しようとする課題】
【０００５】
ここで、上記特許文献１に記載の光源装置では、保持部における上記一方の側面に形成された吸気口を介して、冷却ファンからの冷却風を内部に導入する。このため、当該保持部内に効率よく冷却風を導入させるには、冷却ファンによる冷却風の送風方向が上記一方の側面に対して直交することが望まれる。
しかしながら、このように冷却ファンを配置する場合、当該冷却ファンによる空気の送風方向とは反対方向にプロジェクターの筐体を延ばす必要があり、当該プロジェクターが大型化するという問題がある。
【０００６】
一方、シロッコファンにより構成される冷却ファンの吸気面が上記一方の側面（吸気口が形成された側面）に沿うように当該冷却ファンを配置すると、冷却ファンからの冷却風が吸気口を介して保持部内に導入されにくくなるという問題がある。
これに対し、冷却ファンの吐出口と上記吸気口とを、屈曲したダクトにより接続することが考えられる。しかしながら、このような構成では、ダクト内の屈曲部分に冷却風が当たることで圧力損失が大きくなって、保持部内に導入される空気の流量が少なくなり、光源装置の冷却効率が高くないという問題がある。
【０００７】
本発明は、光源の冷却効率を向上できる光源装置及びプロジェクターを提供することを目的の１つとする。
【課題を解決するための手段】
【０００８】
本発明の第１態様に係る光源装置は、光源と、前記光源を内部に収納するハウジングと、を備え、前記ハウジングは、当該ハウジングの外面をそれぞれ構成し、かつ、互いに交差する第１面及び第２面と、前記第１面及び前記第２面に跨って形成され、前記光源を冷却する空気を内部に導入する導入口と、を有することを特徴とする。
【０００９】
上記第１態様によれば、ハウジングの第１面及び第２面のいずれか一方にのみ導入口が形成されている場合に比べ、当該導入口の開口面積を拡大できる。すなわち、導入口において第１面に沿う開口面（第１面により端縁が形成される仮想の開口面）と、第２面に沿う開口面（第２面により端縁が形成される仮想の開口面）とのそれぞれにより、光源を冷却する冷却空気をハウジング内に導入できる。従って、光源装置内に導入される空気の流量を増やすことができ、光源の冷却効率を向上できる。
【００１０】
上記第１態様では、前記第１面において前記導入口が形成された部位と、前記第２面において前記導入口が形成された部位との交差角は、鈍角であることが好ましい。
ここで、第１面側から見て、当該第１面に直交する奥行方向の寸法の位置に、第２面に沿う開口面の端縁が位置している場合、当該第１面において導入口が形成された部位と第２面において導入口が形成された部位との交差角が直角である場合に比べて鈍角である場合の方が、第２面に沿う開口面の面積を拡大できる。
このため、上記第１態様では、上記交差角が鈍角であることにより、導入口の開口面の面積（第２面に沿う開口面の面積）を拡大できる。従って、光源装置内に導入される空気の流量を更に増やすことができ、光源の冷却効率を一層向上できる。
【００１１】
上記第１態様では、前記ハウジングは、前記導入口に取り付けられ、前記導入口の端縁の形状に応じたメッシュを有することが好ましい。
なお、上記メッシュの形状としては、上記第１面に沿う開口面と、上記第２面に沿う開口面とを組み合わせた形状が挙げられる。
上記第１態様によれば、光源として光源ランプが採用された場合、当該光源ランプが破裂しても、導入口に取り付けられたメッシュにより、破片の飛散を防止できる。
また、メッシュは、導入口の端縁の形状に応じた形状を有するので、当該導入口に取り付けられるメッシュの面積を拡大でき、当該導入口内において空気が流通する部分の面積（金属又は繊維により形成される格子の孔部分の面積）を拡大できる。従って、メッシュを通過してハウジング内に導入される空気の流量を増加させることができ、光源の冷却効率を一層向上できる。
【００１２】
上記第１態様では、前記光源は、放電発光する発光部を有する光源ランプであり、前記ハウジングは、それぞれ異なる方向に分岐して、前記導入口から内部に導入された空気を流通させる複数の流路と、前記複数の流路のうち、当該光源装置の姿勢に応じて前記発光部の上方に導く流路に空気を流通させる流路切替部材と、を有し、前記流路切替部材は、前記導入口の内側に位置することが好ましい。
【００１３】
ここで、光源ランプの点灯時には、発光部における上部が最も高温となるが、当該上部の温度が上がりすぎると、発光部の基材が再結晶化して白濁が生じる可能性がある。
これに対し、上記第１態様によれば、流路切替部材が、光源装置の姿勢に応じて、導入口から導入された空気を、発光部における上部に導く流路に流通させるので、当該発光部における上部を効果的に冷却できる。
また、流路切替部材が導入口の内側に位置することにより、当該流路切替部材が導入口から離れた位置に配置されている場合に比べて、ハウジング内において空気が流通する流路を短縮できる。従って、光源装置の大型化を抑制できる他、光源に送風される空気の圧力損失を抑制できる。
【００１４】
本発明の第２態様に係るプロジェクターは、上記光源装置と、前記光源装置から出射された光を変調する光変調装置と、前記光変調装置により変調された光を投射する投射光学装置と、前記導入口に空気を送風する冷却ファンと、を備えることを特徴とする。
上記第２態様によれば、上記第１態様に係る光源装置と同様の効果を奏することができる。また、冷却ファンにより、光源を冷却する空気を光源装置内に確実に導入させることができる。従って、光源の冷却効率を確実に向上できる。
【００１５】
上記第２態様では、前記冷却ファンによる空気の送風方向は、前記導入口を向き、かつ、前記第１面及び前記第２面のそれぞれに傾斜していることが好ましい。
上記第２態様によれば、冷却ファンによる空気の送風方向が、上記のように設定されていることにより、当該空気は、導入口における第１面に沿う開口面及び第２面に沿う開口面のそれぞれから光源装置内に導入される。これによれば、冷却ファンから送出された空気を、導入口を介して確実に光源装置内に導入できる。従って、当該光源装置内に導入される空気量を確実に増やすことができる。また、このように冷却ファンが配置されることにより、当該冷却ファンによる空気の送風方向が第１面及び第２面のいずれかの面に直交するように冷却ファンが配置されている場合に比べ、当該面に直交する方向のプロジェクターの寸法が不要に大きくなることを抑制できる。従って、プロジェクターが不要に大型化することを抑制できる。
【００１６】
上記第２態様では、前記冷却ファンは、ファン本体と、前記ファン本体から送風された冷却空気を前記導入口に導くダクト部と、を有することが好ましい。
上記第２態様によれば、ファン本体から送風された空気を、ダクト部を介して効率よく導入口に導くことができるので、当該導入口を介して光源装置内に導入される空気の流量を確実に増加させることができる。従って、光源の冷却効率を確実に向上できる。
【図面の簡単な説明】
【００１７】
【図１】本発明の一実施形態に係るプロジェクターの使用態様の一例を示す図。
【図２】上記実施形態におけるプロジェクターの外観を示す斜視図。
【図３】上記実施形態におけるプロジェクターを天面部側から見た平面図。
【図４】上記実施形態における光学ユニットを示す斜視図。
【図５】上記実施形態における光学ユニットの構成を示す模式図。
【図６】上記実施形態における投射光学装置の内部構成を模式的に示す断面図。
【図７】上記実施形態におけるハウジングの外観を示す斜視図。
【図８】上記実施形態におけるハウジングの右側面部を示す図。
【図９】上記実施形態におけるハウジングの左側面部を示す図。
【図１０】上記実施形態におけるハウジングを示す断面図。
【図１１】上記実施形態における正面部側から見た光源装置を模式的に示す断面図。
【図１２】上記実施形態におけるハウジングに導入された空気の流れを示す模式図。
【図１３】上記実施形態におけるハウジングに導入された空気の流れを示す模式図。
【図１４】上記実施形態におけるハウジングに導入された空気の流れを示す模式図。
【図１５】上記実施形態におけるハウジングに導入された空気の流れを示す模式図。
【図１６】上記実施形態における冷却ファンを示す分解斜視図。
【図１７】上記実施形態における光源装置及び冷却ファンを示す斜視図。
【図１８】上記実施形態における光源装置及び冷却ファンを示す斜視図。
【図１９】上記実施形態における冷却ファンの配置位置を示す平面図。
【発明を実施するための形態】
【００１８】
以下、本発明の一実施形態を、図面に基づいて説明する。
［プロジェクターの使用態様］
図１は、本実施形態に係るプロジェクター１の使用態様の一例を示す図である。
本実施形態に係るプロジェクター１は、ＰＣ（Personal Computer）等の画像出力装置（図示省略）から受信される画像情報に応じた画像を形成し、当該画像をスクリーン等の被投射面ＳＣ上に拡大投射するものである。このプロジェクター１は、例えば、図１に示すように、水平面に沿う設置面ＥＳに取り付けられたアームＡＭに固定されて、当該設置面ＥＳに形成された被投射面ＳＣに向けて画像を鉛直方向下方から上方に投射する上方投射姿勢で使用される。
なお、プロジェクター１は、上記上方投射姿勢に限らず、画像を鉛直方向上方から下方に向けて投射する下方投射姿勢で使用することも可能である。この他、プロジェクター１は、後述する天面部２Ａが鉛直方向上方を向くように設置台等に載置されて、鉛直面に沿う被投射面ＳＣ等に向けて側方から画像を投射する正置き姿勢、及び、当該正置き姿勢とは上下を逆にして設置される逆置き姿勢で使用することも可能である。
【００１９】
［プロジェクターの外観構成］
図２は、プロジェクター１を示す斜視図である。また、図３は、カバー部材２２を取り外した状態のプロジェクター１を天面部２Ａ側から見た平面図である。なお、図３においては、外装筐体２内において装置本体３を構成する光学ユニット４の配置位置を点線で示している。
プロジェクター１は、図２及び図３に示すように、外装を構成して、後述する装置本体３を内部に収容する外装筐体２を備える。
外装筐体２は、全体略直方体形状を有する合成樹脂製の筐体である。この外装筐体２は、互いに対向する天面部２Ａ及び底面部２Ｂと、左右の両側面部２Ｃ，２Ｄと、背面部２Ｅ及び正面部２Ｆとを有する。そして、プロジェクター１は、図１に示したように、被投射面ＳＣに対して正面部２Ｆ側が近い位置となり、背面部２Ｅ側が離れた位置となるように配置される。
【００２０】
天面部２Ａは、正面部２Ｆから背面部２Ｅに向かう方向の略中心位置よりも背面部２Ｅ側に位置する第１傾斜面２Ａ１及び第２傾斜面２Ａ２と、操作パネル２Ａ３とを有する。
第１傾斜面２Ａ１は、第２傾斜面２Ａ２に対して背面部２Ｅ側に位置し、当該背面部２Ｅ側から正面部２Ｆ側に向かうに従って、底面部２Ｂに近接する方向に傾斜している。この第１傾斜面２Ａ１には、後述する投射光学装置４６の非球面ミラー４６２に向けて窪む凹部２Ａ１１が形成されている。この凹部２Ａ１１は、第１傾斜面２Ａ１における左側面部２Ｃ側に形成され、当該凹部２Ａ１１の底部分には、当該投射光学装置４６により投射される画像が通過する第１開口部２Ａ１２が形成されている。この第１開口部２Ａ１２の形成位置は、当該投射光学装置４６が有する開口部４６３１（図６）に対応している。
【００２１】
第１傾斜面２Ａ１における右側面部２Ｄ側には、それぞれ略矩形状の第２開口部２Ａ１３及び第３開口部２Ａ１４が併設されている。このうち、右側面部２Ｄに近い第３開口部２Ａ１４内には、リモコン（図示省略）からの赤外線信号を受光する受光モジュールＲＭが配置され、凹部２Ａ１１近傍の第２開口部２Ａ１３内には、被投射面ＳＣを撮像する撮像装置ＤＶが配置される。これら開口部２Ａ１３，２Ａ１４は、カバー２Ａ１５，２Ａ１６によりそれぞれ閉塞されている。
【００２２】
第２傾斜面２Ａ２は、第１傾斜面２Ａ１に連接し、背面部２Ｅから正面部２Ｆに向かうに従って底面部２Ｂから離間する方向に傾斜している。
操作パネル２Ａ３は、天面部２Ａにおいて背面部２Ｅ側の端部から第１傾斜面２Ａ１に至るまでの範囲内で、かつ、側面部２Ｄ側の位置に設けられている。この操作パネル２Ａ３には、プロジェクター１を操作するための複数のキーが配設されている。
【００２３】
天面部２Ａを上側にして正面部２Ｆ側からプロジェクター１を見た場合に、左側に位置する左側面部２Ｃには、吸気口２Ｃ１が形成されている。この吸気口２Ｃ１の内側には、エアフィルター（図示省略）が設けられ、当該吸気口２Ｃ１及びエアフィルターを介して装置本体を冷却する冷却空気が外装筐体２内に導入される。
左側面部２Ｃとは反対側の右側面部２Ｄには、装置本体３を冷却した空気を外装筐体２外に排出する排気口２Ｄ１（図３）が形成されている。
【００２４】
右側面部２Ｄの略中央は、筐体本体２１の側面に設けられたインターフェイス部２３（図３）を覆い、当該筐体本体２１に着脱自在に設けられるカバー部材２２により形成される。このカバー部材２２は、詳しい図示を省略するが、第２傾斜面２Ａ２を含む天面部２Ａの一部、底面部２Ｂの一部、及び、右側面部２Ｄの一部をそれぞれ形成する３つの側面部を有する横向きの略Ｕ字状に形成されている。
なお、筐体本体２１は、上記天面部２Ａ、及び、各面部２Ｃ，２Ｄ，２Ｅ，２Ｆのそれぞれの一部を構成するアッパーケース２１１と、底面部２Ｂ、及び、各面部２Ｃ，２Ｄ，２Ｅ，２Ｆのそれぞれの一部を構成するロアーケース２１２とが組み合わされて構成されている。
【００２５】
［装置本体の構成］
装置本体３は、図３に示すように、外装筐体２内に収容される。この装置本体３は、画像を形成及び投射する光学ユニット４と、プロジェクター１の構成部品（例えば、後述する光源装置４１及び各種光学部品）を冷却する冷却装置６（図１６参照）と、を備える。この他、具体的な図示を省略するが、装置本体３は、プロジェクター１の構成部品に電力を供給する電源装置、及び、プロジェクター１の動作を制御する制御装置等を備える。
【００２６】
［光学ユニットの構成］
図４は、光学ユニット４を示す斜視図であり、図５は、光学ユニット４の構成を示す模式図である。
光学ユニット４は、本発明の光学装置に相当し、上記制御装置による制御の下、画像情報（画像信号を含む）に応じた画像を形成して投射する。この光学ユニット４は、図４及び図５に示すように、光源装置４１（図４及び図５）及び各種装置４２〜４６（図５）と、光学部品用筐体４７（図４及び図５）と、を備える。
【００２７】
なお、本実施形態では、光源装置４１から出射される光の進行方向をＺ方向とし、当該Ｚ方向にそれぞれ直交し、かつ、互いに直交する方向をＸ方向及びＹ方向とする。これらＸ方向及びＹ方向のうち、Ｙ方向は、上記底面部２Ｂから天面部２Ａに向かう方向（後述する底面部５Ｂから天面部５Ａに向かう方向と同じ）とし、Ｘ方向は、背面部２Ｅから正面部２Ｆに向かう方向（後述する左側面部５Ｆから右側面部５Ｅに向かう方向と同じ）とする。すなわち、Ｘ方向は、プロジェクター１を天面部２Ａ側から平面視した場合に、投射光学装置４６による画像の投射方向と平行な方向（詳しくは、当該画像の投射方向と同方向）となる。
【００２８】
光源装置４１は、図５に示すように、光源としての光源ランプ４１１、リフレクター４１２及び平行化レンズ４１３と、これらを内部に収納するハウジング５と、を有し、均一化装置４２に光を出射する。これらのうち、ハウジング５は、後に詳述する。
光源ランプ４１１は、内部で放電発光する略球状の発光部４１１１と、当該発光部４１１１の両端から互いに反対方向に延出する封止部４１１２，４１１３と、を有する。なお、光源ランプ４１１には、発光部４１１１における封止部４１１２側の領域を覆って、当該発光部４１１１から入射される光をリフレクター４１２に向けて反射させる副反射鏡４１１４が取り付けられている。
リフレクター４１２は、封止部４１１３に固定された主反射鏡である。このリフレクター４１２は、発光部４１１１から入射される光（副反射鏡４１１４にて反射された光を含む）を反射させ、平行化レンズ４１３に入射させる凹曲面状の反射面を有する。
【００２９】
均一化装置４２は、光源装置４１から出射された光束の中心軸に対する直交面内の照度を均一化する。この均一化装置４２は、光源装置４１からの光の入射順に、第１レンズアレイ４２１、調光装置４２２、第２レンズアレイ４２３、偏光変換素子４２４及び重畳レンズ４２５を有し、これらは本発明の光学部品に相当する。
第１レンズアレイ４２１及び第２レンズアレイ４２３は、入射される光を複数の部分光束に分割し、当該複数の部分光束を、重畳レンズ４２５とともに後述する液晶パネル４５３の画像形成領域に重畳させ、ひいては、当該画像形成領域を均一に照明する。
調光装置４２２は、第１レンズアレイ４２１から第２レンズアレイ４２３に入射される光の少なくとも一部を遮蔽して、当該第２レンズアレイ４２３、ひいては、液晶パネル４５３に入射される光量を調整する。
偏光変換素子４２４は、入射された光の偏光方向を一種類に揃える機能を有する。
【００３０】
色分離装置４３は、均一化装置４２から入射される光束を、赤（Ｒ）、緑（Ｇ）及び青（Ｂ）の３つの色光に分離する。この色分離装置４３は、青色光を反射させて緑色光及び赤色光を透過させるダイクロイックミラー４３１と、当該ミラー４３１を透過した緑色光及び赤色光のうち、緑色光を反射させて赤色光を透過させるダイクロイックミラー４３２と、青色光の光路上に設けられる反射ミラー４３３と、を有する。
リレー装置４４は、分離された赤色光の光路上に設けられる。このリレー装置４４は、入射側レンズ４４１、リレーレンズ４４３及び反射ミラー４４２，４４４を有する。
【００３１】
画像形成装置４５は、分離された各色光を色光毎に変調して、画像情報に応じた画像を形成する。この画像形成装置４５は、当該色光毎に設けられるフィールドレンズ４５１、入射側偏光板４５２、光変調装置としての液晶パネル４５３及び出射側偏光板４５４と、色合成装置としてのクロスダイクロイックプリズム４５５と、を有する。これらのうち、液晶パネル４５３（赤、緑及び青用の液晶パネルをそれぞれ４５３Ｒ，４５３Ｇ，４５３Ｂとする）は、上記制御装置から入力される画像情報に基づいて、入射される色光を変調する。また、クロスダイクロイックプリズム４５５は、各液晶パネル４５３Ｒ，４５３Ｇ，４５３Ｂにより変調された各色光（各色画像）を合成する。
【００３２】
図６は、投射光学装置４６の内部構成を模式的に示す断面図である。
投射光学装置４６は、画像形成装置４５から入射される光（画像）を上記被投射面ＳＣ上に拡大投射する。この投射光学装置４６は、図６に示すように、複数のレンズ４６１と、反射ミラーである非球面ミラー４６２と、これらを内部に収納する中空状の保持体４６３とを備える。
複数のレンズ４６１は、例えば、ズームレンズ及びフォーカスレンズを有する。
【００３３】
非球面ミラー４６２は、回転対称でない自由曲面形状の反射面４６２Ａを有する。この非球面ミラー４６２は、投射光学装置４６における光路最下流において、反射面４６２Ａが正面部２Ｆ側斜め上方（底面部２Ｂに対する天面部２Ａ側）を向くように配設される。そして、非球面ミラー４６２は、複数のレンズ４６１により、正面部２Ｆ側から背面部２Ｅ側に導かれた画像を正面部２Ｆ側上方に斜めに折り返すとともに、当該画像を広角化する。
【００３４】
保持体４６３の天面部２Ａ側には、非球面ミラー４６２にて反射された画像を通過させる開口部４６３１が形成され、当該開口部４６３１には、可視光を透過させるガラス等の基板４６３２が嵌め込まれている。
このうち、開口部４６３１は、当該開口部４６３１の開口面積を不要に大きくしないために、非球面ミラー４６２に対して所定距離だけ離間した位置（非球面ミラー４６２にて反射された光が集光する位置Ｐに近接した位置）に形成されている。
【００３５】
光学部品用筐体４７は、図示を省略するが、部品収納部材及び蓋状部材により構成される箱状筐体であり、図５に示すように、内部に照明光軸ＡＸが設定されている。そして、上記光源装置４１及び各装置４２〜４４は、光学部品用筐体４７内において照明光軸ＡＸに対する所定位置に配置され、上記装置４５，４６は、当該照明光軸ＡＸの延長線上に配置される。このため、光源装置４１が光学部品用筐体４７に配置された際には、当該光源装置４１から出射される光の中心軸は、照明光軸ＡＸと一致する。
【００３６】
このような光学部品用筐体４７は、図３に示したように、照明光軸ＡＸが正面部２Ｆに沿うように配置される。また、投射光学装置４６は、当該投射光学装置４６を透過する光の中心軸が左側面部２Ｃに沿うように配置される。換言すると、光学部品用筐体４７は、一端側に接続される光源装置４１から出射された光の中心軸に沿う照明光軸ＡＸがＺ方向に沿うように配置され、当該光学部品用筐体４７の他端側に接続される投射光学装置４６は、当該投射光学装置４６の光軸が、Ｚ方向に直交し、かつ、Ｘ方向とは反対方向に沿うように配置される。すなわち、光学部品用筐体４７、ひいては、光学ユニット４は、天面部２Ａ側から見て略Ｌ字状に構成されている。そして、天面部２Ａ側から見て、光源装置４１から出射された光の中心軸が正面部２Ｆに沿い、投射光学装置４６の光軸が左側面部２Ｃに沿うように、各構成４１〜４７が一体化された光学ユニット４は配置される。
なお、図示を省略するが、光学部品用筐体４７の下方（底面部２Ｂ側であり、Ｙ方向とは反対側）には、均一化装置４２を冷却する空気を導くダクトが設けられている。そして、光学部品用筐体４７は、図４に示すように、内外を連通する複数の開口部４７１を有し、当該開口部４７１を介して空気が内外に流通することで、内部に収納された光学部品が冷却される。また、図４では、光学部品用筐体４７におけるＸ方向（正面部２Ｆ側）の面が図示されていないが、当該面にも開口部４７１が形成されている。この面は、後述する冷却ファン６１において吸気面６４Ｂが対向する面である（図１９参照）。
【００３７】
［ハウジングの構成］
図７は、光源装置４１を構成するハウジング５の外観を示す斜視図である。また、図８及び図９は、ハウジング５の右側面部５Ｅ及び左側面部５Ｆをそれぞれ示す図である。
ハウジング５は、上記光源ランプ４１１及びリフレクター４１２を内部に収納するとともに、平行化レンズ４１３を保持する略直方体形状の光源収納用筐体である。このハウジング５は、図７〜図９に示すように、リフレクター４１２の正面側（Ｚ方向側）を覆う第１筐体５１と、当該リフレクター４１２の背面側（Ｚ方向とは反対側）を覆う第２筐体５２と、を有する。そして、ハウジング５は、第１筐体５１により構成される正面部５Ｃ、及び、第２筐体５２により構成される背面部５Ｄの他、これら筐体５１，５２が組み合わされることでそれぞれ構成される天面部５Ａ、底面部５Ｂ及び左右の側面部５Ｅ，５Ｆを有する。
【００３８】
天面部５Ａは、図７に示すように、把手５Ａ１、ボタン５Ａ２及び係止部５Ａ３を有する。把手５Ａ１は、略Ｕ字状に形成され、当該略Ｕ字状の両端は、天面部５Ａに回動自在に支持されている。そして、ボタン５Ａ２が押下されると、係止部５Ａ３による係止が解除され、把手５Ａ１は、天面部５ＡからＹ方向に起立する。これにより、外装筐体２内に設けられた光源収納部（図示省略）内に収納された光源装置４１を取り出しやすくしている。また、天面部５Ａにおける正面部５Ｃ側（Ｚ方向側）の両端には、当該光源収納部にハウジング５（ひいては光源装置４１）を固定するねじＳＲが挿通する孔部５Ａ４が形成されている。
【００３９】
正面部５Ｃは、光源ランプ４１１及びリフレクター４１２から出射された光が透過する開口部（図示省略）を有する。この開口部は、平行化レンズ４１３により閉塞される。なお、平行化レンズ４１３は、図７に示すように、係止部材である板ばね５Ｃ１によって正面部５Ｃに係止される。
【００４０】
右側面部（天面部５Ａを上側として正面部５Ｃに対向した際の右側の側面部）５Ｅは、図７及び図８に示すように、コネクタＣＮ及び導入口５Ｅ１を有する。
コネクタＣＮは、右側面部５Ｅの略中央に配置されている。このコネクタＣＮは、上記光源収納部内に設けられたコネクタ（図示省略）と接続され、上記電源装置から供給された電力を、光源ランプ４１１に供給する。
導入口５Ｅ１は、右側面部５Ｅにおける背面部５Ｄ側に位置している。この導入口５Ｅ１は、リフレクター４１２の背面部５Ｄ側の空間に、ハウジング５（第２筐体５２）外の空気を導入する。この空気は、リフレクター４１２における背面部５Ｄ側の部位に沿って流通して当該リフレクター４１２を冷却する。
【００４１】
また、右側面部５Ｅには、後述する冷却ファン６１から送風された冷却空気をハウジング５（第１筐体５１）内に導入する導入口５１１が開口している。
この導入口５１１は、図７に示すように、右側面部５Ｅ及び正面部５Ｃに跨るように形成されており、右側面部５Ｅだけでなく、正面部５Ｃにも開口している。すなわち、右側面部５Ｅ及び正面部５Ｃは、それぞれ本発明の第１面及び第２面に相当し、導入口５１１の開口面（右側面部５Ｅに形成された導入口５１１の端縁５Ｅ２を結び、かつ、当該右側面部５Ｅに沿う仮想の開口面５１１Ｅ、及び、正面部５Ｃに形成された導入口５１１の端縁５Ｃ２を結び、かつ、当該正面部５Ｃに沿う仮想の開口面５１１Ｃ）は、略Ｌ字状となっている。このような導入口５１１には、当該導入口５１１の端縁の形状に応じた断面視略Ｌ字状を有する金属製のメッシュ５１２が取り付けられている。なお、導入口５１１は、右側面部５Ｅ及び正面部５Ｃの交差部位で、かつ、Ｙ方向側の位置に形成されている。
【００４２】
左側面部（天面部５Ａを上側として正面部５Ｃに対向した際の左側の側面部）５Ｆは、図９に示すように、第２筐体５２に形成された一対の排出口５Ｆ１と、第１筐体５１に形成された排出口５Ｆ２とを有する。
一対の排出口５Ｆ１は、リフレクター４１２における上記背面部５Ｄ側の部位を冷却した空気を、ハウジング５外に排出する。
排出口５Ｆ２は、第１筐体５１及びリフレクター４１２により囲まれる空間内にて光源ランプ４１１を冷却した空気を、ハウジング５外に排出する。なお、排出口５Ｆ２には、金属製のメッシュ５Ｆ３が取り付けられている。
【００４３】
図１０は、ハウジング５を示す断面図である。詳述すると、図１０は、図８及び図９に示したＡ−Ａ線におけるハウジング５のＸＺ断面図である。また、図１１は、正面部５Ｃ側から見た光源装置４１のＸＹ断面を模式的に示す図である。
図１０及び図１１に示すように、第１筐体５１は、リフレクター４１２の正面部５Ｃ側を囲む略八角錐台形状に形成された筒状体５３を内部に有する。この筒状体５３は、内径が大きい一端がリフレクター４１２の開口端に接続され、内径が小さい他端が正面部５Ｃの内面に接続される。
【００４４】
このような筒状体５３は、図１１に示すように、天面部５Ａ、右側面部５Ｅ、底面部５Ｂ及び左側面部５Ｆとそれぞれ略平行な第１側面部５３１、第２側面部５３２、第３側面部５３３及び第４側面部５３４を有する。この他、筒状体５３は、各側面部５３１，５３２を接続する第１傾斜部５３５、各側面部５３２，５３３を接続する第２傾斜部５３６、各側面部５３３，５３４を接続する第３傾斜部５３７、及び、各側面部５３４，５３１を接続する第４傾斜部５３８を有する。
これらのうち、第１傾斜部５３５には、ハウジング５内に導入された空気を光源ランプ４１１の封止部４１１２に導く開口部５３５１が形成されている。また、第２傾斜部５３６及び第４傾斜部５３８には、発光部４１１１に空気を導く開口部５３６１，５３８１が形成されている。
更に、ハウジング５は、当該ハウジング５の外側の端面と筒状体５３の外面とによりそれぞれ形成され、上記導入口５１１を介してハウジング５内に導入された空気を開口部５３８１に流通させる第１流路Ｆ１と、当該空気を開口部５３６１に流通させる第２流路Ｆ２とを有する。
【００４５】
そして、ハウジング５は、光源装置４１の設置姿勢（すなわち、プロジェクター１の設置姿勢）に応じて、上記流路Ｆ１，Ｆ２のうち、導入された空気を流通させる流路を切り替える流路切替部材５４（図１０及び図１１）と、押さえ部材５５及び取付部材５６（ともに図１０）と、を内部に有する。
流路切替部材５４は、導入口５１１の内側で、かつ、当該導入口５１１近傍に配置され、取付部材５６によって筒状体５３に取り付けられる押さえ部材５５により、ハウジング５内に自重により回動自在に取り付けられている。この流路切替部材５４は、回動軸５４１を導入口５１１側とは反対側の端部に有する板体である。そして、プロジェクター１が正置き姿勢又は下方投射姿勢で設置された場合には、流路切替部材５４は、自重によって回動して第２流路Ｆ２を閉塞して、導入口５１１から導入された空気を第１流路Ｆ１に導く。一方、プロジェクター１が逆置き姿勢又は上方投射姿勢で設置された場合には、流路切替部材５４は、自重によって回動して第１流路Ｆ１を閉塞して、導入口５１１から導入された空気を第２流路Ｆ２に導く。
【００４６】
図１２は、プロジェクター１が正置き姿勢で設置された際に、導入口５１１を介してハウジング５内に導入された空気の流れを示す模式図である。
例えば、プロジェクター１が正置き姿勢で設置された場合には、図１２に示すように、天面部５Ａが鉛直方向上側を向く。この正置き姿勢では、流路切替部材５４によって第２流路Ｆ２が閉塞されるので、導入口５１１を介した空気は、第１流路Ｆ１を流通する。この第１流路Ｆ１を流通する空気のうち、一部の空気は、図１２に点線で示すように、流路切替部材５４によって一部が遮蔽される開口部５３５１を介して筒状体５３内に流入し、封止部４１１２に送風される。一方、他の一部の空気は、図１２に実線で示すように、天面部５Ａ及び第１側面部５３１に沿ってＸ方向とは反対方向に流通し、開口部５３８１を介して筒状体５３内に流入し、発光部４１１１に送風される。この際、封止部４１１２に送風される空気は、発光部４１１１の中心を通る鉛直面ＶＰに対して＋４５°の角度で上方から送風され、発光部４１１１に送風される空気は、当該鉛直面ＶＰに対して−４５°の角度で上方から送風される。
【００４７】
図１３は、プロジェクター１が下方投射姿勢で設置された際にハウジング５内に導入された空気の流れを示す模式図である。
プロジェクター１が下方投射姿勢で設置された場合には、図１３に示すように、左側面部５Ｆが鉛直方向上側を向く。この下方投射姿勢では、流路切替部材５４によって第２流路Ｆ２が閉塞されるので、導入口５１１を介した空気は、第１流路Ｆ１を流通する。この第１流路Ｆ１を流通する空気の一部は、図１３に点線で示すように、開口部５３５１を介して筒状体５３内に流入し、封止部４１１２に送風される。一方、他の一部の空気は、図１３に実線で示すように、天面部５Ａ及び第１側面部５３１に沿ってＸ方向とは反対方向に流通し、開口部５３８１を介して筒状体５３内に流入し、発光部４１１１に送風される。この際、封止部４１１２に送風される空気は、発光部４１１１の中心を通る鉛直面ＶＰに対して＋４５°の角度で下方から送風され、発光部４１１１に送風される空気は、当該鉛直面ＶＰに対して＋４５°の角度で上方から送風される。
【００４８】
図１４は、プロジェクター１が逆置き姿勢で設置された際に、導入口５１１を介してハウジング５内に導入された空気の流れを示す模式図である。
プロジェクター１が逆置き姿勢で設置された場合には、図１４に示すように、底面部５Ｂが鉛直方向上側を向く。この逆置き姿勢では、流路切替部材５４によって第１流路Ｆ１が閉塞されるので、導入口５１１を介した空気は、第２流路Ｆ２を流通する。この第２流路Ｆ２を流通する空気のうち、一部の空気は、図１４に点線で示すように、開口部５３５１を介して筒状体５３内に流入し、封止部４１１２に送風される。一方、他の一部の空気は、図１４に実線で示すように、右側面部５Ｅ及び第２側面部５３２に沿ってＹ方向とは反対方向に流通し、開口部５３６１を介して筒状体５３内に流入し、発光部４１１１に送風される。この際、封止部４１１２に送風される空気は、発光部４１１１の中心を通る鉛直面ＶＰに対して−４５°の角度で下方から送風され、発光部４１１１に送風される空気は、当該鉛直面ＶＰに対して−４５°の角度で上方から送風される。
【００４９】
図１５は、プロジェクター１が上方投射姿勢で設置された際に、導入口５１１を介してハウジング５内に導入された空気の流れを示す模式図である。
プロジェクター１が上方投射姿勢で設置された場合には、図１５に示すように、右側面部５Ｅが鉛直方向上側を向く。この上方投射姿勢では、流路切替部材５４によって第１流路Ｆ１が閉塞されるので、導入口５１１を介した空気は、第２流路Ｆ２を流通する。この第２流路Ｆ２を流通する空気のうち、一部の空気は、図１５に点線で示すように、開口部５３５１を介して筒状体５３内に流入し、封止部４１１２に送風される。一方、他の一部の空気は、図１５に実線で示すように、右側面部５Ｅ及び第２側面部５３２に沿ってＹ方向とは反対方向に流通し、開口部５３６１を介して筒状体５３内に流入し、発光部４１１１に送風される。この際、封止部４１１２に送風される空気は、発光部４１１１の中心を通る鉛直面ＶＰに対して−４５°の角度で上方から送風され、発光部４１１１に送風される空気は、当該鉛直面ＶＰに対して＋４５°の角度で上方から送風される。
【００５０】
このように、プロジェクター１が、正置き姿勢、逆置き姿勢、上方投射姿勢及び下方投射姿勢のいずれの姿勢で設置された場合でも、発光部４１１１における鉛直方向上部に上方から空気を送風できる他、封止部４１１２に空気を送風できるので、光源ランプ４１１を効果的に冷却できる。
【００５１】
［冷却装置の構成］
図１６は、冷却ファン６１を示す分解斜視図である。また、図１７及び図１８は、光源装置４１及び冷却ファン６１を背面部２Ｅ側及び正面部２Ｆ側からそれぞれ見た斜視図である。
冷却装置６は、上記のように、外装筐体２内に配置され、プロジェクター１の構成部品を冷却する。この冷却装置６は、図１６〜図１８に示すように、光源装置４１を冷却する冷却ファン６１を備える。この他、図示を省略するが、冷却装置６は、吸気口２Ｃ１（図２参照）を介して外部の空気を外装筐体２内に取り込む吸気ファン、及び、プロジェクター１の構成部品の冷却に供されて熱を帯びた空気を、排気口２Ｄ１（図３参照）を介して外装筐体２外に排出する排気ファンを備える。
【００５２】
［冷却ファンの構成］
冷却ファン６１は、上記導入口５１１と接続され、外装筐体２内の空気を吸引して、当該導入口５１１に光源ランプ４１１を冷却する冷却空気を送風する。この冷却ファン６１は、ファン本体６２及びファンカバー６５を備える。
ファン本体６２は、両面吸気型のシロッコファンにより構成されている。具体的に、ファン本体６２は、回転軸の周方向に沿って複数の羽根（図示省略）が設けられたモーター６３がファンケース６４内に配置された構成を有する。そして、当該ファンケース６４において当該回転軸に直交し、かつ、互いに対向する一対の面である吸気面６４Ａ，６４Ｂには、モーター６３の回転に伴って内部に空気を吸引する吸気口６４Ａ１（図１７），６４Ｂ１（図１６及び図１８）がそれぞれ形成されている。なお、吸気口６４Ｂ１は、モーター６３の周囲に、円弧状に複数形成されている。
また、ファンケース６４は、図１６に示すように、吸気口６４Ａ１，６４Ｂ１を介して吸引した空気を上記回転軸の回転接線方向に吐出する吐出口６４Ｃを有する。
【００５３】
ファンカバー６５は、互いに組み合わされる第１カバー６６及び第２カバー６７により構成され、内部にファン本体６２を収納する。
第１カバー６６は、図１６及び図１７に示すように、ファン本体６２の吸気面６４Ａ側に位置しており、吸気口６４Ａ１が内側に位置する略円形状の開口部６６２が形成された側面部６６１を有する。
また、第１カバー６６は、ファン本体６２の吐出口６４Ｃに応じた位置に、当該吐出口６４Ｃを露出させる開口部６５１を形成する凹部６６３を有する。
この他、第１カバー６６は、上記導入口５１１の端縁のうち、正面部５Ｃ側の端縁と接続される接続部６６４と、当該導入口５１１の端縁のうち、右側面部５Ｅ側の端縁における正面部５Ｃ側の一部と接続される接続部６６５と、を有する。
【００５４】
第２カバー６７は、図１６及び図１８に示すように、ファン本体６２の吸気面６４Ｂ側に位置しており、吸気口６４Ｂ１が内側に位置する略円形状の開口部６７２が形成された側面部６７１を有する。また、第２カバー６７は、開口部６７２の端縁における一部から起立した後、当該開口部６７２の中心に向かって延出して、当該開口部６７２の一部を覆うカバー部６７３を有する。このカバー部６７３が、吸気口６４Ｂ１の一部を覆うことで、ファン本体６２の動作時に生じる正面部２Ｆ側への騒音が低減される。
【００５５】
更に、第２カバー６７は、ファン本体６２の吐出口６４Ｃに応じた位置に、上記開口部６５１を形成する凹部６７４を有する他、上記導入口５１１の端縁のうち、右側面部５Ｅ側の端縁における背面部５Ｄ側の一部と接続されるダクト部６７５を有する。
このダクト部６７５は、曲面状に形成された内面を有し、ファン本体６２の吐出口６４Ｃから吐出された空気の進行方向を緩やかに屈曲させて、当該空気を導入口５１１に導く。
【００５６】
［冷却ファンの配置］
図１９は、外装筐体２内における冷却ファン６１の配置位置を示す平面図であり、当該冷却ファン６１と、光源装置４１及び光学部品用筐体４７との位置関係を示す図である。換言すると、図１９は、外装筐体２内を天面部２Ａ側から見た平面図である。なお、図１９では、光学部品用筐体４７に収納される光学部品の図示を省略している。
上記冷却ファン６１は、図５及び図１９に示すように、光学部品用筐体４７と正面部２Ｆの内面２Ｆ１との間に配置される。この際、冷却ファン６１は、吸気口６４Ａ１が形成された吸気面６４Ａが光学部品用筐体４７を向き、吸気口６４Ｂ１が形成された吸気面６４Ｂが正面部２Ｆの内面２Ｆ１を向くように配置される。すなわち、吸気口６４Ａ１は、光学部品用筐体４７に向けて開口し、吸気口６４Ｂ１は、内面２Ｆ１に向けて開口している。
【００５７】
更に、冷却ファン６１（ファン本体６２）は、天面部２Ａ側から見た際に、吸気面６４Ａ，６４Ｂが、光源装置４１から出射される光の中心軸（照明光軸ＡＸと一致する軸であり、Ｚ方向）に対して傾斜するように配置される。換言すると、冷却ファン６１は、吸気面６４Ａ，６４Ｂが、投射光学装置４６による画像の投射方向（Ｘ方向）に対して傾斜するように配置される。更に換言すると、冷却ファン６１は、ファン本体６２が有するモーター６３の回転軸が、当該投射方向に対して傾斜するように配置される。
すなわち、図５及び図１９に示すように、天面部２Ａ側から見た際に、吸気面６４Ａ，６４Ｂは、光源装置４１から出射される光の中心軸と平行な仮想の直線Ｌ２（Ｚ方向と平行な仮想の直線Ｌ２であり、投射方向に平行なＸ方向に対する直交面であるＹＺ平面を示す仮想の直線Ｌ２）に対して傾斜する。換言すると、当該吸気面６４Ａ，６４Ｂは、投射光学装置４６による画像の投射方向と平行な仮想の直線Ｌ１（Ｘ方向と平行な仮想の直線Ｌ１であり、上記中心軸に対する直交面であるＸＹ平面を示す仮想の直線Ｌ１）に対して傾斜するように配置される。
本実施形態では、面６４Ａ，６４Ｂは、仮想の直線Ｌ１に対して略７８°、仮想の直線Ｌ２に対して略１２°傾斜している。なお、これら角度は、適宜変更可能である。
【００５８】
更に、吸気面６４Ａ，６４Ｂは、互いに略平行であり、光源装置４１側に傾斜している。具体的に、吸気面６４Ａ，６４Ｂにおいて光源装置４１側の端部は、当該光源装置４１とは反対側の端部より上記中心軸側に位置し、当該光源装置４１とは反対側の端部は、光源装置４１側の端部より正面部２Ｆ側に位置するように、冷却ファン６１は配置される。
すなわち、冷却ファン６１は、吐出口６４Ｃ（開口部６５１）側の端部を右側面部２Ｄ側（Ｚ方向とは反対側）に向け、当該吐出口６４Ｃとは反対側の端部を左側面部２Ｃ側（Ｚ方向側）に向けた状態で、吐出口６４Ｃとは反対側の端部が、吐出口６４Ｃ側の端部より正面部２Ｆ側（Ｘ方向）に位置するように傾斜して配置される。
なお、冷却ファン６１は、Ｙ方向を中心として回動して吸気面６４Ａ，６４ＢがＹＺ平面に対して傾斜する構成に限らず、Ｚ方向を中心として回動して吸気面６４Ａ，６４ＢがＹＺ平面に対して傾斜する構成としてもよい。
【００５９】
［冷却ファンによる光源装置及び光学部品の冷却］
ファン本体６２から吐出された空気は、導入口５１１の端縁に接続される接続部６６４，６６５及びダクト部６７５を介して当該導入口５１１に導かれ、当該導入口５１１を介して、光源装置４１のハウジング５内に導入される。この際、天面部２Ａ側から見て、ファン本体６２の吸気面６４Ａ，６４Ｂが上記のようにＺ方向及びＸ方向に対して傾斜していることから、当該ファン本体６２からの空気の送風方向もＺ方向及びＸ方向に対して傾斜する。そして、当該送風方向は、導入口５１１における開口面５１１Ｃ，５１１Ｅのそれぞれ（すなわち、正面部５Ｃ及び右側面部５Ｅのそれぞれ）に対して傾斜している。そして、ファン本体６２から吐出され、ハウジング５内に導入された空気は、上記のように、第１流路Ｆ１及び第２流路Ｆ２のうち、プロジェクター１の設置姿勢（すなわち、光源装置４１の姿勢）に応じた流路を流通し、上記発光部４１１１及び封止部４１１２に送風され、光源ランプ４１１を冷却する。
また、光学部品用筐体４７において冷却ファン６１に対向する側面部に形成された開口部４７１（図１９参照）を介して、当該光学部品用筐体４７内に配置された光学部品（例えば、調光装置４２２及び偏光変換素子４２４）の熱を帯びた空気が、当該冷却ファン６１により吸引される。これにより、当該光学部品用筐体４７内の光学部品も冷却される。
【００６０】
［上方投射姿勢で設置されたプロジェクターの電源オフ時の空気の流れ］
ここで、プロジェクター１が、図１に示した上方投射姿勢で設置された場合、正面部２Ｆが鉛直方向上方を向き、背面部２Ｅが下方を向く。すなわち、冷却ファン６１は、光源装置４１及び光学部品用筐体４７に対して鉛直方向上方に位置することとなる。
このため、プロジェクター１の電源がオンからオフに切り替えられ、冷却ファン６１の駆動が停止されると、光学部品用筐体４７内の光学部品の熱を帯びた空気は上昇して、正面部２Ｆ側に流通する。この空気は、開口部４７１を介して光学部品用筐体４７外に流出され、冷却ファン６１の吸気口６４Ａ１を介してファン本体６２内に流入する。
一方、光源装置４１内の空気のうち、第１筐体５１内及びリフレクター４１２内の熱を帯びた空気（例えば、光源ランプ４１１の熱を帯びた空気）も上昇する。この空気は、導入口５１１を介してファンカバー６５内に流入し、ひいては、ファン本体６２内に流入する。
【００６１】
このため、ファン本体６２が、正面部２Ｆの内面２Ｆ１側に開口する吸気口６４Ｂ１（鉛直方向上方に開口する吸気口６４Ｂ１）がない片面吸気型のシロッコファンである場合、ファン本体６２内に流入した空気は、当該ファン本体６２内に滞留しやすくなり、冷却ファン６１に対する熱負荷が大きくなる。
これに対し、本実施形態では、ファン本体６２は、背面部２Ｅ側に開口する吸気口６４Ａ１だけでなく、正面部２Ｆ側に開口する吸気口６４Ｂ１を有する両面吸気型のシロッコファンであることにより、当該吸気口６４Ｂ１を介して、ファン本体６２内に流入した空気を外部に逃がすことができる。従って、冷却ファン６１に対する熱負荷を低減できる。
なお、プロジェクター１が下方投射姿勢で設置されて、吸気面６４Ａが鉛直方向上方を向く場合に、ファン本体６２内に熱を帯びた空気が流入しても、上方に開口する吸気口６４Ａ１を介して当該空気をファン本体６２の外部に逃がすことができる。このため、プロジェクター１が下方投射姿勢で設置された場合でも、冷却ファン６１に対する熱負荷を低減できる。
【００６２】
ここで、吸気面６４Ｂには、モーター６３が取り付けられることから、吸気口６４Ｂ１は、モーター６３の取付部位を避ける必要があり、当該吸気口６４Ｂ１の面積は、吸気面６４Ａに形成された吸気口６４Ａ１に比べて小さくなる。このため、吸気面６４Ａ，６４Ｂが鉛直方向に対して直交するように（吸気面６４Ａ，６４Ｂが水平面と平行となるように）冷却ファン６１が配置されていると、ファン本体６２内に流入した空気（熱を帯びた空気）が吸気面６４Ｂの内面付近に滞留して、モーター６３の制御基板を損傷させる要因となる。
【００６３】
これに対し、本実施形態では、吸気面６４Ａ，６４Ｂは、Ｚ方向に対して傾斜しており、プロジェクター１が上方投射姿勢で設置された際に鉛直方向と同方向であるＸ方向、すなわち、当該Ｘ方向に直交し、かつ、水平面と平行なＹＺ平面に対して傾斜する。このため、吸気面６４Ｂの内面付近に空気を滞留させずに上昇させ、吸気口６４Ｂ１のいずれかを介してファン本体６２の外部に当該空気を逃がしやすくすることができる。従って、ファン本体６２内に熱を帯びた空気が滞留することを確実に抑制でき、冷却ファン６１に対する熱負荷を一層低減できる。
そして、図１９に示すように、冷却ファン６１と正面部２Ｆの内面２Ｆ１との間には、吸気口６４Ｂ１を閉塞するような構成部材は配置されていない。すなわち、外装筐体２内において冷却ファン６１の周囲には、吸気口６４Ｂ１から冷却ファン６１外に排出された空気を拡散させる空間Ｓが形成されている。このため、冷却ファン６１の駆動時には、当該冷却ファン６１のファン本体６２により、周囲の空気を効率よく吸引できる。また、冷却ファン６１の駆動が停止されている際には、ファン本体６２の周囲に熱を帯びた空気が滞留することなく拡散させることができ、冷却ファン６１に対する熱負荷を一層低減できる。
【００６４】
［導入口により光源装置内に導入される空気の流量］
このように、冷却ファン６１は、吸気面６４Ａ，６４ＢがＺ方向に対して傾斜し、かつ、光源装置４１側に傾斜して配置されている。このため、冷却ファン６１から吐出された空気の進行方向は、ハウジング５の右側面部５Ｅ及び正面部５Ｃに対して傾斜する。
このため、冷却ファン６１と接続される導入口５１１が、正面部５Ｃ側にのみ開口している場合、及び、右側面部５Ｅ側にのみ開口している場合には、当該導入口５１１の開口面積（導入口５１１の形成範囲内における上記空気の進行方向に直交する仮想面の面積）が小さくなってしまい、ハウジング５内に導入される空気の流量が少なくなる。
【００６５】
一方、例えば、導入口５１１が右側面部５Ｅ側にのみ開口している場合に、吸気面６４Ａ，６４ＢがＸＹ平面又はＸＺ平面と平行となるように冷却ファン６１を配置して、当該冷却ファン６１から吐出された空気を、Ｘ方向とは反対方向に沿って直線的に導入口５１１に送風して、導入される空気量を増加させることが考えられる。すなわち、ファン本体６２による空気の吐出方向がＸ方向とは反対方向に沿うように、冷却ファン６１を配置することが考えられる。しかしながら、このような配置では、冷却ファン６１の寸法分だけ、プロジェクター１の奥行方向の寸法（正面部２Ｆと背面部２Ｅとの間の寸法）が大きくなり、当該プロジェクター１が必要以上に大型化するという問題が生じる。
【００６６】
他方、例えば、導入口５１１が右側面部５Ｅ側にのみ開口している場合に、吸気面６４Ａ，６４ＢがＹＺ平面又はＸＺ平面と平行となるように冷却ファン６１を配置し、冷却ファン６１から吐出された空気をダクトにより略直角に屈曲させ、当該空気を導入口５１１に導くことが考えられる。すなわち、ファン本体６２による空気の吐出方向がＺ方向とは反対方向に沿うように、冷却ファン６１を配置することが考えられる。しかしながら、このような構成では、ファン本体６２から当該ダクトへ吐出される空気の進行方向と、当該ダクトから導入口５１１へ送出される空気の進行方向との角度が比較的小さく、導入口５１１に導かれる空気の圧力がダクトによって低減されることから、光源ランプ４１１に導かれる空気の流量が少なくなる。
【００６７】
これに対し、本実施形態では、導入口５１１は、右側面部５Ｅ側だけでなく、当該右側面部５Ｅと交差する正面部５Ｃ側にも開口し、ファン本体６２の吐出口６４Ｃと、当該導入口５１１の端縁とは、ファンカバー６５（主にダクト部６７５）により接続される。
これによれば、Ｚ方向に対して傾斜し、更に、光源装置４１側に傾斜したファン本体６２から吐出された空気を、導入口５１１において正面部５Ｃ側の仮想の開口面５１１Ｃ及び右側面部５Ｅ側の仮想の開口面５１１Ｅを介して、ハウジング５内に効率よく導入できる。この際、冷却ファン６１がＺ方向に対して傾斜し、更に、光源装置４１側に傾斜していることにより、当該冷却ファン６１から吐出された空気を直線的に仮想の開口面５１１Ｃ，５１１Ｅに導くことができる。更に、ファン本体６２からダクト部６７５へ吐出される空気の進行方向と、当該ダクト部６７５から導入口５１１における右側面部５Ｅ側に送出される空気の進行方向との交差角を大きくすることができる。従って、導入口５１１に導かれる空気の圧力の低減を抑制でき、ひいては、光源ランプ４１１に導かれる空気の流量の低減を抑制できる。
【００６８】
ここで、右側面部５Ｅにおいて導入口５１１が形成された部位と、正面部５Ｃにおいて導入口５１１が形成された部位との交差角は、図１０に示すように、直交ではなく鈍角である。具体的に、当該正面部５Ｃの部位は、Ｚ方向に対して傾斜した冷却ファン６１による空気の送風方向に対して直交するように、右側面部５Ｅに対して傾斜している。このため、当該部位が右側面部５Ｅに対して直交している場合に比べて、正面部５Ｃ側における導入口５１１の仮想の開口面５１１Ｃを拡大できる。従って、導入口５１１を介して導入される空気の流量を増加させることができる。
【００６９】
［実施形態の効果］
以上説明した本実施形態に係るプロジェクター１によれば、以下の効果がある。
ハウジング５において、導入口５１１は、右側面部５Ｅ（第１面）及び正面部５Ｃ（第２面）に跨るように形成され、当該右側面部５Ｅ及び正面部５Ｃに開口している。これによれば、当該導入口５１１が、右側面部５Ｅ及び正面部５Ｃのいずれか一方にのみ開口している場合に比べ、当該導入口５１１の開口面積を拡大できる。すなわち、導入口５１１において右側面部５Ｅに沿う仮想の開口面５１１Ｅと、正面部５Ｃに沿う仮想の開口面５１１Ｃとのそれぞれにより、光源ランプ４１１を冷却する冷却空気をハウジング５内に導入できる。従って、光源装置４１内に導入される空気の流量を増やすことができ、光源ランプ４１１の冷却効率を向上できる。
【００７０】
上記のように、右側面部５Ｅにおいて導入口５１１が形成された部位と、正面部５Ｃにおいて導入口５１１が形成された部位との交差角は鈍角である。これによれば、右側面部５Ｅから見て同じ奥行方向（Ｘ方向）の寸法の位置に、仮想の開口面５１１Ｃの端縁が位置している場合、上記各部位が直交している場合に比べて、当該仮想の開口面５１１Ｃの面積を拡大できる。従って、光源装置４１内に導入される空気の流量を更に増やすことができ、光源ランプ４１１の冷却効率を一層向上できる。
【００７１】
導入口５１１には、メッシュ５１２が設けられている。これによれば、ハウジング５内に配置された光源ランプ４１１が破裂した場合に、当該メッシュ５１２により、破片の飛散を防止できる。
また、メッシュ５１２は、当該導入口５１１の端縁に応じた形状を有するので、当該導入口５１１に取り付けられるメッシュ５１２の面積を拡大でき、当該導入口５１１内において空気が流通する部分の面積（金属又は繊維により形成される格子の孔部分の面積）を拡大できる。従って、メッシュ５１２を通過してハウジング５内に導入される空気の流量を増加させることができ、光源ランプ４１１の冷却効率を一層向上できる。
【００７２】
ハウジング５内に回動自在に設けられた流路切替部材５４により、光源装置４１の姿勢（ひいては、プロジェクター１の設置姿勢）に応じて、導入口５１１から導入された空気を、第１流路Ｆ１及び第２流路Ｆ２のうち、発光部４１１１における上部に導く流路に流通させることができる。従って、発光部４１１１における上部を効果的に冷却できる。
また、流路切替部材５４が導入口５１１の内側に位置することにより、当該流路切替部材５４が導入口５１１から離れた位置に配置されている場合に比べて、導入口５１１から流路切替部材５４までの寸法を短くすることができ、ハウジング５内において空気が流通する流路を短縮できる。従って、光源装置の大型化を抑制できる他、光源ランプ４１１に送風される空気の圧力損失を抑制できる。
【００７３】
ファン本体６２による空気の送風方向は、導入口５１１を向き、かつ、右側面部５Ｅ及び正面部５Ｃのそれぞれに対して傾斜している。換言すると、当該送風方向は、導入口５１１における開口面５１１Ｃ，５１１Ｅのそれぞれに対して傾斜している。これによれば、ファン本体６２から送風された空気は、当該開口面５１１Ｃ，５１１Ｅのそれぞれからハウジング５内に導入されるので、導入口５１１を介してハウジング５内に導入される空気の流量を確実に増やすことができる。また、このようにファン本体６２（冷却ファン６１）が配置されることにより、当該ファン本体６２による空気の送風方向が右側面部５Ｅに直交するように配置される場合に比べ、プロジェクターの奥行方向の寸法（Ｘ方向の寸法）が不要に大きくなることを抑制できる。従って、プロジェクター１が不要に大型化することを抑制できる。
【００７４】
冷却ファン６１は、ファン本体６２から送風された空気を、ファンカバー６５のダクト部６７５を介して効率よく導入口５１１に導くことができる。従って、当該導入口５１１を介して光源装置４１内に導入される空気の流量を確実に増加させることができ、光源ランプ４１１の冷却効率を確実に向上できる。
【００７５】
［実施形態の変形］
本発明は、上記実施形態に限定されるものではなく、本発明の目的を達成できる範囲での変形、改良等は本発明に含まれるものである。
上記実施形態では、ハウジング５に形成された導入口５１１は、右側面部５Ｅと正面部５Ｃとに跨るように形成され、当該右側面部５Ｅ及び正面部５Ｃのそれぞれに開口しているとした。しかしながら、本発明はこれに限らない。例えば、導入口５１１は、右側面部５Ｅと、天面部５Ａ、底面部５Ｂ及び背面部５Ｄのいずれかと、に開口していてもよい。すなわち、導入口は、ハウジングの外面において互いに交差する少なくとも２つの側面部に跨るように形成され、それぞれの側面部に開口していれば、当該導入口の位置はどこでもよい。
【００７６】
上記実施形態では、右側面部５Ｅにおける導入口５１１が形成された部位と、正面部５Ｃにおける導入口５１１が形成された部位とは、鈍角で交差しているとした。しかしながら、本発明はこれに限らない。すなわち、当該各部位は、直交していてもよい。
上記実施形態では、導入口５１１に取り付けられるメッシュ５１２は、当該導入口５１１の端縁の形状に応じた略Ｌ字状を有するとした。しかしながら、本発明はこれに限らない。例えば、導入口５１１の内側に配置された流路切替部材５４の移動範囲内に位置しなければ、平板状のメッシュを取り付けてもよい。
【００７７】
上記実施形態では、光源ランプ４１１及びリフレクター４１２を有する光源装置４１を採用したが、本発明はこれに限らない。例えば、光源ランプ４１１に代えて、ＬＥＤ（Light Emitting Diode）及びＬＤ（Laser Diode）等の固体光源を採用してもよい。
上記実施形態では、流路切替部材５４は、導入口５１１の内側で、かつ、当該導入口５１１近傍に設けられるとしたが、本発明はこれに限らない。すなわち、流路切替部材５４の位置は適宜変更可能である。また、自重によって回動することで、第１流路Ｆ１及び第２流路Ｆ２のうち、ハウジング５内に導入された空気が流通する流路を切り替える流路切替部材に代えて、自重によって移動して当該流路を切り替える流路切替部材を採用してもよい。
【００７８】
上記実施形態では、冷却ファン６１のファン本体６２による空気の送風方向は、右側面部５Ｅ（詳しくは、右側面部５Ｅに沿う開口面５１１Ｅ）及び正面部５Ｃ（詳しくは、正面部５Ｃに沿う開口面５１１Ｃ）に対してそれぞれ傾斜するように、当該ファン本体６２は配置されているとした。しかしながら、本発明はこれに限らない。すなわち、上記面６４Ａ，６４Ｂが、それぞれ、ＹＺ平面又はＸＺ平面と平行でもよい。すなわち、ハウジングにおいて互いに交差する２つ面に導入口が開口し、当該２つの面に沿う開口面のそれぞれから空気を導入可能であればよい。
【００７９】
上記実施形態では、ファン本体６２から送出された空気は、当該ファン本体６２を内部に収納するとともに、光源装置４１の導入口５１１に接続されるファンカバー６５のダクト部６７５を介して、当該導入口５１１内に導入されるとした。しかしながら、本発明はこれに限らない。すなわち、ファン本体６２の吐出口６４Ｃと導入口５１１とを接続し、当該吐出口６４Ｃから吐出された空気を導入口５１１に導くダクト部であれば、当該ダクト部の構成は問わず、冷却ファン６１とは別体であってもよい。更に、このようなダクト部は無くてもよい。
【００８０】
上記実施形態では、ファン本体６２は、両面吸気型のシロッコファンであるとしたが、本発明はこれに限らない。すなわち、片面吸気型のシロッコファンであってもよく、導入口５１１に適切に空気を送風可能であれば、軸流ファンであってもよい。
上記実施形態では、投射光学装置４６は、画像形成装置４５から入射される画像が透過する複数のレンズ４６１と、当該画像を折り返して反射させる非球面ミラー４６２と、これらを内部に収納する保持体４６３とを備える構成としたが、本発明はこれに限らない。すなわち、反射ミラーである非球面ミラー４６２は無くてもよい。
また、プロジェクター１により画像が投射される被投射面ＳＣは、反射型のスクリーンでなくてもよく、透過型のスクリーンで構成されていてもよい。
【００８１】
上記実施形態では、プロジェクター１は、光変調装置として３つの液晶パネル４５３（４５３Ｒ，４５３Ｇ，４５３Ｂ）を備えるとしたが、本発明はこれに限らない。すなわち、２つ以下、或いは、４つ以上の液晶パネルを用いたプロジェクターにも、本発明を適用可能である。
上記実施形態では、光学ユニット４は略Ｌ字状に構成されていたが、本発明はこれに限らない。例えば、略Ｕ字状に構成された光学ユニットを採用してもよい。
上記実施形態では、光束入射面と光束射出面とが異なる透過型の液晶パネル４５３を用いていたが、光入射面と光射出面とが同一となる反射型の液晶パネルを用いてもよい。
【００８２】
上記実施形態では、光変調装置として液晶パネル４５３を用いていたが、入射光束を変調して画像情報に応じた画像を形成可能な光変調装置であれば、マイクロミラー表示素子等を利用したものなど、液晶以外の光変調装置を用いてもよい。
上記実施形態では、画像の投射方向と、当該画像の観察方向とが略同じであるフロントタイプのプロジェクター１を例示したが、本発明はこれに限らない。例えば、投射方向と観察方向とがそれぞれ反対方向となるリアタイプのプロジェクターにも適用できる。
【符号の説明】
【００８３】
１…プロジェクター、４１…光源装置、４１１…光源ランプ（光源）、４５３（４５３Ｒ，４５３Ｇ，４５３Ｂ）…液晶パネル（光変調装置）、４６…投射光学装置、５…ハウジング、５Ｃ…正面部（第１面又は第２面）、５Ｅ…右側面部（第１面又は第２面）、５１１…導入口、５１２…メッシュ、５４…流路切替部材、Ｆ１…第１流路、Ｆ２…第２流路、６１…冷却ファン、６２…ファン本体、６７５…ダクト部。
【図１】
2015108779.tif 000003
【図２】
2015108779.tif 000004
【図３】
2015108779.tif 000005
【図４】
2015108779.tif 000006
【図５】
2015108779.tif 000007
【図６】
2015108779.tif 000008
【図７】
2015108779.tif 000009
【図８】
2015108779.tif 000010
【図９】
2015108779.tif 000011
【図１０】
2015108779.tif 000012
【図１１】
2015108779.tif 000013
【図１２】
2015108779.tif 000014
【図１３】
2015108779.tif 000015
【図１４】
2015108779.tif 000016
【図１５】
2015108779.tif 000017
【図１６】
2015108779.tif 000018
【図１７】
2015108779.tif 000019
【図１８】
2015108779.tif 000020
【図１９】
2015108779.tif 000021